(57)【要約】【課題】占有空間が小さく、ブルートゥース信号及びＷＩＦＩ信号を同時に送受信できる双極アンテナを提供すること。【解決手段】本発明に係る双極アンテナは、放射体、フィードイン端子及びアース端子を備える。前記放射体は、順次に連接する主体部、延伸部、接続部、移行部及び屈曲部から構成される。前記主体部、前記延伸部及び前記接続部が同一平面に位置するが、前記移行部及び前記屈曲部が別の平面に位置する。前記フィードイン端子及び前記アース端子は、前記主体部の側辺に並列して接続される。前記接続部及び前記屈曲部は、前記移行部により一体に連接する。前記主体部、前記延伸部及び前記接続部の間には凹部が形成され、前記屈曲部の中央部には細長いスロットが形成される。【選択図】図１
2012016014.tif 000002
【特許請求の範囲】
【請求項１】
放射体、フィードイン端子及びアース端子を備える双極アンテナであって、
前記放射体は、順次に連接する主体部、延伸部、接続部、移行部及び屈曲部から構成され、前記主体部、前記延伸部及び前記接続部は同一平面に位置するが、前記移行部及び前記屈曲部は別の平面に位置し、
前記フィードイン端子及び前記アース端子は前記主体部の側辺に並列して接続され、前記接続部及び前記屈曲部は前記移行部により一体とされ、
前記主体部、前記延伸部及び前記接続部の間には凹部が形成され、前記屈曲部の中央部には細長いスロットが形成されることを特徴とする双極アンテナ。
【請求項２】
前記主体部及び前記延伸部は、それぞれ矩形のプレートであり、且つ前記延伸部の一端が前記主体部の片側に部分的に連接し、前記延伸部の他端が前記主体部から離れるように延在し、
前記接続部は、前記延伸部の前記主体部から離れている一端に連接し、前記主体部に平行する方向に沿って延伸し、且つ前記主体部及び前記延伸部と共同して前記凹部を形成することを特徴とする請求項１に記載の双極アンテナ。
【請求項３】
前記フィードイン端子は、前記主体部の側辺に連接し、且つ折り曲げられて前記主体部の他方側の側辺に向かって斜めに延伸することを特徴とする請求項１又は請求項２に記載の双極アンテナ。
【請求項４】
前記屈曲部は、細長いフレークであり且つ前記移行部の片側に直交して延伸する第一連接部と、平坦なフレークであり且つ前記第一連接部の末端に直交して連接する第二連接部と、前記第一連接部より短く、前記第二連接部の末端に連接して、前記第一連接部に平行して延伸する第三連接部と、を備えることを特徴とする請求項１〜３のいずれか一項に記載の双極アンテナ。
【請求項５】
前記スロットは、前記第一連接部と前記第二連接部との間に形成され、前記スリット及び前記凹部は、前記双極アンテナの電気長を調節するために用いられることを特徴とする請求項４に記載の双極アンテナ。
【発明の詳細な説明】
【技術分野】
【０００１】
本発明は、アンテナに関し、特に双極アンテナに関するものである。
【背景技術】
【０００２】
無線通信技術の発展に伴い、移動電話及び個人携帯情報端末（ＰＤＡ）等の無線通信装置の機能は多様化されつつある。特に、ブルートゥース（Ｂｌｕｅ  Ｔｏｏｔｈ）及び無線接続技術（Ｗｉｒｅｌｅｓｓ  Ｆｉｄｅｌｉｔｙ，  ＷＩＦＩ）は、上記のような携帯式無線通信装置に広範に用いられて、その基本的な設備となる。
【０００３】
従来の携帯式無線通信装置には、一般的にブルートゥース信号及びＷＩＦＩ信号を送受信するためのアンテナがそれぞれ設けられる。従って、その製造コストが高く、２つのアンテナは携帯式無線通信装置の内部空間の大きい一部を占め、前記携帯式無線通信装置の全体サイズを増加させ、携帯式無線通信装置の小型化に不利である。
【発明の概要】
【発明が解決しようとする課題】
【０００４】
本発明は、上記の問題点を考慮してなされたものであり、占有空間が小さく、ブルートゥース信号及びＷＩＦＩ信号を同時に送受信できる双極アンテナを提供することを目的とする。
【課題を解決するための手段】
【０００５】
上記の目的を達成するために、本発明に係る双極アンテナは、放射体、フィードイン端子及びアース端子を備える。前記放射体は、順次に連接する主体部、延伸部、接続部、移行部及び屈曲部から構成される。前記主体部、前記延伸部及び前記接続部が同一平面に位置するが、前記移行部及び前記屈曲部が別の平面に位置する。前記フィードイン端子及び前記アース端子は、前記主体部の側辺に並列して接続される。前記接続部及び前記屈曲部は、前記移行部により一体に連接される。前記主体部、前記延伸部及び前記接続部の間には凹部が形成され、前記屈曲部の中央部には細長いスロットが形成される。
【発明の効果】
【０００６】
従来の技術と比較すると、本発明の双極アンテナは、ブルートゥース周波数バンド及びＷＩＦＩ周波数バンドの信号の送受信をそれぞれ実現できると共に、占有面積が小さく、無線通信装置の小型化を促進できる。しかも、前記双極アンテナは、ＦＰＣからなり、強靭性に富んで損傷し難しく、且つ取付操作が容易である。
【図面の簡単な説明】
【０００７】
【図１】本発明の双極アンテナの立体図である。
【図２】図１に示した双極アンテナの別の視角からの斜視図である。
【図３】本発明に係る双極アンテナのリターンロスを示したテスト図である。
【発明を実施するための形態】
【０００８】
本発明の実施形態に係る双極アンテナ（ｄｉｐｏｌｅ  ａｎｔｅｎｎａ）は、携帯電話及び個人用携帯情報端末（ＰＤＡ）等の無線通信装置に用いられて、無線通信装置をブルートゥースの周波数バンド（２．４ＧＨｚ）及びＷＩＦＩの周波数バンド（２．４ＧＨｚ〜２．５ＧＨｚ）において同時に作動できるようにする。以下、図面を参照しながら、本発明の実施形態について詳細に説明する。
【０００９】
図１及び図２に示したように、本発明の実施形態に係る双極アンテナ１００は、フレキシブルプリント配線板（Ｆｌｅｘｉｂｌｅ  Ｐｒｉｎｔｅｄ  Ｃｉｒｃｕｉｔ，  ＦＰＣ）を基材として製作されて、放射体１０、フィードイン端子２０及びアース端子３０を備える。
【００１０】
前記放射体１０は、順次に連接する主体部１１、延伸部１３、接続部１５、移行部１７及び屈曲部１９を備える。前記主体部１１、前記延伸部１３及び前記接続部１５は同一平面に位置し、前記移行部１７及び前記屈曲部１９は別の平面に位置する。
【００１１】
前記主体部１１及び前記延伸部１３は、全て矩形のプレートである。前記延伸部１３の一端が前記主体部１１の片側に部分的に連接し、前記延伸部１３の他端が前記主体部１１から離れるように延伸する。
【００１２】
前記接続部１５は、細長いプレートであり、前記延伸部１３の前記主体部１１から離れている一端に連接し、且つ前記主体部１１にほぼ平行して延伸する。前記接続部１５は、前記主体部１１より少し長く、その一方側に略円弧状の切欠部１５１を有し、その他方側は前記主体部１１及び前記延伸部１３と共同して略矩形の凹部１５３を形成する。
【００１３】
前記移行部１７は、矩形のプレートであり、その一端が前記接続部１５の末端と弧面を形成するように連接する。前記移行部１７が所在する平面は、前記主体部１１が所在する平面にほぼ直交する。
【００１４】
前記屈曲部１９は、第一連接部１９１、第二連接部１９２及び第三連接部１９３を備える。前記第一連接部１９１は、全体が略弧状を呈する細長いフレークであり、前記移行部１７の前記主体部１１から離間する側に直交して延伸する。前記第二連接部１９２は、幅が前記第一連接部１９１の幅に等しい平坦なフレークであり、前記第一連接部１９１の末端に直交して連接する。前記第三連接部１９３も、全体が略弧状を呈する細長いフレークであり、その幅は前記第一連接部１９１の幅に等しいが、その長さは前記第一連接部１９１より少し短い。前記第三連接部１９３は、前記第二連接部１９２の末端に直交して連接して、前記第一連接部１９１に平行に延伸する。前記第一連接部１９１と前記第三連接部１９３とは、前記第二連接部１９２と同じ側に位置し、且つ両者の間にはスロット１９５が形成される。
【００１５】
前記フィードイン端子２０及び前記アース端子３０が所在する平面と前記主体部１１が所在する平面との間には、一定の夾角が形成される。前記フィードイン端子２０は、鉤状物であり、前記主体部１１の側辺に連接し且つ折り曲げられて前記主体部１１の他方側の側辺に向かって斜めに延伸する。前記フィードイン端子２０は、無線通信装置の回路基板（図示せず）に設けられた信号フィードイン部に電気接続されて、前記双極アンテナ１００に信号をフィードインする。
【００１６】
前記アース端子３０は、前記フィードイン端子２０に並列して前記主体部１１の側辺に連接する。前記アース端子３０の形状が前記フィードイン端子２０と同じであるので、ここでは詳しい説明を省略する。前記アース端子３０の自由端は、回路基板の接地部（図示せず）に電気的に接続されて、前記双極アンテナ１００を接地させる役割を果たす。
【００１７】
前記双極アンテナ１００を無線通信装置に装着する場合、前記放射体１０を無線通信装置のハウジングの内表面に貼着すればよい。これにより、前記無線通信装置の取付空間を大幅に節約した。
【００１８】
また、前記凹部１５３及び前記スロット１９５のサイズを変更することにより、前記双極アンテナ１００の電気長を調節することができる。
【００１９】
前記双極アンテナ１００が作動する際に、無線信号が前記フィードイン端子２０から前記放射体１０に入ると、前記双極アンテナ１００は２．４ＧＨｚ〜２．５ＧＨｚの共振周波数を発生して、同時にブルートゥース周波数バンド及びＷＩＦＩ周波数バンドの無線通信要求を満たす。表１に示したように、テストの結果、本発明の双極アンテナ１００の最大ゲイン（ｄＢ）及び放射効率は作動周波数によって変化し、前記双極アンテナ１００はアンテナの設計要求に適っている。
【００２０】
表１は、本発明の実施形態に係る双極アンテナ１００の最大ゲイン（ｄＢ）及び放射効率が、作動周波数によって変化する結果を示す表である。
【００２１】
【表１】
2012016014.tif 000003
【００２２】
図３は、本発明の双極アンテナ１００のリターンロス（ｒｅｔｕｒｎ  ｌｏｓｓ，  ＲＬ）を示している。テストの結果、前記双極アンテナ１００は、２．４ＧＨｚ及び２．４５ＧＨｚの作動周波数の下で、それぞれアンテナの設計要求を満たす。
【００２３】
本発明の双極アンテナ１００は、ブルートゥース周波数バンド及びＷＩＦＩ周波数バンドの信号の送受信をそれぞれ実現できると共に、占有面積が小さく、無線通信装置の小型化を促進できる。しかも、前記双極アンテナ１００はＦＰＣからなり、強靭性に富んで損傷し難しく、且つ取付操作が容易である。
【００２４】
以上、本発明の好適な実施形態について詳細に説明したが、本発明は前記実施形態に限定されるものではなく、本発明の範囲内で種々の変形又は修正が可能であり、該変形又は修正も、本発明の特許請求の範囲内に含まれるものであることは言うまでもない。
【符号の説明】
【００２５】
１０              放射体
１１              主体部
１３              延伸部
１５              接続部
１７              移行部
１９              屈曲部
２０              フィードイン端子
３０              アース端子
１００            双極アンテナ
１５１            切欠部
１５３            凹部
１９１            第一連接部
１９２            第二連接部
１９３            第三連接部
１９５            スロット
【図１】
2012016014.tif 000004
【図２】
2012016014.tif 000005
【図３】
2012016014.tif 000006